(57)【特許請求の範囲】
【請求項１】
第１の成形型と、該第１の成形型に相対向して設けられた第２の成形型と、前記第１の成形型と前記第２の成形型との少なくともいずれかに設けられ流動性樹脂によって満たされるべきキャビティとを備え、チップ状の電子部品からなるチップが基板に装着された状態において、前記キャビティに満たされた前記流動性樹脂が硬化して形成された硬化樹脂によって前記チップを樹脂封止する樹脂封止装置であって、
前記第１の成形型と前記第２の成形型とをそれぞれ有する複数個の成形モジュールと、
前記チップが装着された前記基板からなる封止前基板を前記キャビティの少なくとも近傍まで搬送するために単独で移動できる搬送機構と、
前記搬送機構とは別に設けられた移送機構と、
前記搬送機構に設けられた第１のヒータとを備えるとともに、
前記第１のヒータは、前記封止前基板を少なくとも前記キャビティの近傍まで搬送する過程において前記封止前基板を面的に加熱し、
前記搬送機構と前記移送機構とが一体的に移動することができ、かつ、前記移送機構が前記搬送機構から分離して移動することができ、
前記移送機構は、前記搬送機構から前記第１の成形型と前記第２の成形型とのいずれかにおいて前記キャビティに平面視して重なる位置における型面まで前記封止前基板を搬送して前記型面を含む配置用型面に引き渡し、
前記移送機構は、前記封止前基板を前記配置用型面に引き渡した後に前記第１の成形型と前記第２の成形型との間から退避し、
前記第１の成形型と前記第２の成形型とが型締めした状態、かつ、前記キャビティに満たされた前記流動性樹脂に前記チップが浸漬された状態において前記流動性樹脂が硬化し、
複数個の前記成形モジュールは、前記搬送機構が移動する方向に沿って順次固定され、
複数個の前記成形モジュールがそれぞれ有する前記キャビティの少なくとも近傍まで前記封止前基板を搬送する距離が複数個の前記成形モジュールのそれぞれに応じて相異なることを特徴とする樹脂封止装置。
【請求項２】
請求項１に記載された樹脂封止装置において、
前記成形モジュールの数が事後的に増減可能であることを特徴とする樹脂封止装置。
【請求項３】
請求項１又は２に記載された樹脂封止装置において、
前記第１のヒータは前記封止前基板を直接加熱することを特徴とする樹脂封止装置。
【請求項４】
請求項１〜３のいずれか１つに記載された樹脂封止装置において、
前記移送機構に設けられた第２のヒータを備え、
前記第２のヒータは、前記封止前基板を前記配置用型面に引き渡すまでの過程において前記封止前基板を面的に加熱することを特徴とする樹脂封止装置。
【請求項５】
請求項４に記載された樹脂封止装置において、
前記第２のヒータは、前記チップに対して非接触である状態において前記封止前基板を面的に加熱することを特徴とする樹脂封止装置。
【請求項６】
請求項１〜５のいずれか１つに記載された樹脂封止装置において、
前記搬送機構は、前記基板と前記チップと前記硬化樹脂とを有する封止済基板を前記成形モジュールから搬出することを特徴とする樹脂封止装置。
【請求項７】
チップ状の電子部品からなるチップが基板に装着された状態において前記チップを樹脂封止することを目的として、第１の成形型と該第１の成形型に相対向して設けられた第２の成形型とを有する成形モジュールを複数個準備する工程と、前記チップが装着された前記基板からなる封止前基板を搬送機構に配置する工程と、前記第１の成形型と前記第２の成形型との少なくともいずれかに設けられ流動性樹脂によって満たされるべきキャビティの少なくとも近傍まで前記搬送機構を使用して前記封止前基板を搬送する工程と、前記第１の成形型と前記第２の成形型とのいずれかにおいて前記キャビティに平面視して重なる位置における型面を含む配置用型面に前記封止前基板を固定する工程と、前記第１の成形型と前記第２の成形型とを型締めする工程と、前記キャビティに満たされた前記流動性樹脂に前記チップが浸漬された状態において前記流動性樹脂を硬化させることによって硬化樹脂を形成する工程と、前記第１の成形型と前記第２の成形型とを型開きする工程と、前記基板と前記チップと前記硬化樹脂とを有する封止済基板を取り出す工程とを備える樹脂封止方法であって、
単独で移動できる前記搬送機構とは別に設けられた移送機構を使用して前記封止前基板を前記配置用型面まで移送する工程と、
前記移送機構を使用して前記封止前基板を前記配置用型面に引き渡す工程と、
前記封止前基板を前記配置用型面に引き渡した後に前記第１の成形型と前記第２の成形型との間から前記移送機構を退避させる工程とを備えるとともに、
前記搬送する工程では、前記搬送機構と前記移送機構とが一体的に移動し、
前記移送する工程では、前記移送機構が前記搬送機構から分離して移動し、
前記退避させる工程の後に前記型締めする工程を実行し、
前記型締めする工程の後に前記硬化樹脂を形成する工程を実行し、
前記搬送する工程において前記搬送機構に設けられた第１のヒータを使用して前記封止前基板を面的に加熱し、
前記搬送する工程の少なくとも一部においては、複数個の前記成形モジュールが順次固定されて並ぶ方向に沿って前記搬送機構を移動させ、
前記搬送する工程において複数個の前記成形モジュールがそれぞれ有する前記キャビティの少なくとも近傍まで前記封止前基板を搬送する距離が複数個の前記成形モジュールのそれぞれに応じて相異なることを特徴とする樹脂封止方法。
【請求項８】
請求項７に記載された樹脂封止方法において、
前記成形モジュールの数を事後的に増減することができることを特徴とする樹脂封止方法。
【請求項９】
請求項７又は８に記載された樹脂封止方法において、
前記搬送する工程においては、前記第１のヒータは前記封止前基板を直接加熱することを特徴とする樹脂封止方法。
【請求項１０】
請求項７〜９のいずれか１つに記載された樹脂封止方法において、
前記移送する工程においては、前記移送機構に設けられた第２のヒータを使用して、前記封止前基板を面的に加熱することを特徴とする樹脂封止方法。
【請求項１１】
請求項１０に記載された樹脂封止方法において、
前記移送する工程においては、前記第２のヒータが前記チップに対して非接触である状態において前記封止前基板を面的に加熱することを特徴とする樹脂封止方法。
【請求項１２】
請求項７〜１１のいずれか１つに記載された樹脂封止方法において、
前記取り出す工程の後に、前記搬送機構を使用して前記成形モジュールから前記封止済基板を搬出する工程を備えることを特徴とする樹脂封止方法。
【発明の詳細な説明】
【技術分野】
【０００１】
本発明は、集積回路（Integrated Circuit：ＩＣ）のチップや、ＬＥＤ（Light Emitting Diode）のチップ等からなるチップ状の電子部品（以下「チップ」という。）を樹脂封止する樹脂封止装置及び樹脂封止方法に関するものである。
【背景技術】
【０００２】
従来、リードフレーム、プリント基板等の回路基板（以下適宜「基板」という。）に装着された１個又は複数個のチップを、樹脂成形技術によって成形型を使用して樹脂封止することが行われている。この場合に使用される成形型（樹脂封止型）は、１８０℃程度に加熱されている。樹脂封止工程では、まず、成形型の型面に基板を配置し、成形型を使用してその基板を予熱する。次に、成形型に設けられた空間からなるキャビティに、基板に装着されたチップを収容する。次に、キャビティに流動性樹脂を充填して、その流動性樹脂を硬化させて硬化樹脂を形成する。このことにより、基板に装着されたチップを硬化樹脂によって樹脂封止することができる。
【０００３】
ところで、成形型の型面に配置された基板を成形型によって予熱する場合においては、成形型において基板が充分に予熱されるまでに時間を必要とする。したがって、全体的な封止時間（成形時間）が長くなるという問題がある（例えば、特許文献１の段落［０００４］参照）。
【０００４】
この問題を解消するために、基板が成形型の型面に配置される前に基板を予熱する、次の技術が提案されている。第１に、「（略）リードフレームを所定方向へ整列させるための整列部等に専用の予備加熱機構を備えて、該予備加熱機構にてリードフレームを予め所定温度にまで加熱すると共に、予備加熱した該リードフレームをその搬送機構を介して両型のキャビティ部に搬送供給する、所謂、金型外予備加熱方法」が提案されている。（例えば、特許文献１の段落［０００５］、特許文献２の段落［００１２］、［００１５］、図１０参照）。
【０００５】
第２に、樹脂封止装置に複数個のモールディングユニットを設けて、各モールディングユニットに設けられた可動下型（成形型）において、独立した適宜な予備加熱手段を金型キャビティ部の近傍に設けるという構成が提案されている。予備加熱手段は、樹脂封止前リードフレーム（基板）を、所要の温度にまで予備加熱する（例えば、特許文献１の段落［００２４］、図１、図５（図中の予備加熱手段３３）参照）。
【先行技術文献】
【特許文献】
【０００６】
【特許文献１】特開平０７−３２１１３７号公報
【特許文献２】特開２００４−２７３７７３号公報
【非特許文献】
【０００７】
【非特許文献１】東芝セミコンダクター社、「半導体デバイスの信頼性、半導体の信頼性に影響を与える因子、信頼性に影響を与える製造プロセス要因」、「表１  信頼性に影響を与える製造プロセス要因」における「組立工程  封止（樹脂封止）」の項、［online］、２０１０年１月、［平成２２年７月１２日検索］、インターネット＜http://www.semicon.toshiba.co.jp/product/reliability/device/concept/1186198_7633.html＞
【発明の開示】
【発明が解決しようとする課題】
【０００８】
しかしながら、上述した従来の技術のうち、第１に、「金型外予備加熱方法」を使用した場合には、次の問題が発生する。まず、予備加熱したリードフレーム（基板）を搬送機構によって成形型のキャビティ部に搬送するまでに、基板が冷却される。このことによって、成形型において基板を再度予熱する必要がある。したがって、チップを樹脂封止する際の全体的な封止時間を短縮することが困難である。
【０００９】
更に、樹脂封止装置に複数個のモールディングユニットを設けた場合には、基板が搬送される距離によって基板の温度にそれぞれ差異が生じる。これにより、成形型において基板を再度予熱する時間に差異を設ける必要がある。したがって、樹脂封止工程がいたずらに面倒なものとなる（例えば、特許文献１の段落［０００５］参照）。
【００１０】
加えて、リードフレーム（基板）の温度に差が生じることに起因して、硬化樹脂と基板との密着性に差が生じるおそれがある。硬化樹脂と基板との密着性が低下した場合には、樹脂封止工程を経て製造された製品である半導体パッケージ、ＬＥＤパッケージ等（以下「パッケージ」という。）において、密着不良による品質の低下という深刻な問題が発生するおそれがある。硬化樹脂と基板との密着性が低下した場合に品質の低下が発生するおそれがあることは、周知である（例えば、非特許文献１参照）。
【００１１】
第２に、各モールディングユニットに設けられた成形型において、独立した適宜な予備加熱手段をキャビティの近傍に設けるという構成によれば、次の問題が発生する。まず、モールディングユニットの数に等しい独立した予備加熱手段を設ける必要があるので、装置コストが増大する。また、成形型のメンテナンスを行う際に、予備加熱手段によって作業者が火傷を負うおそれがある。
【００１２】
本発明が解決しようとする課題は、チップを樹脂封止する際の全体的な封止時間を短縮することが困難であること、製品の品質の低下を招くおそれがあること、装置コストが増大すること、及び、成形型のメンテナンスにおいて安全性に問題があることである。
【課題を解決するための手段】
【００１３】
以下の説明における（  ）内の数字は、図面における符号を示している。これらの数字は、説明における用語と図面に示された構成要素とを対比しやすくする目的で記載されたものである。また、これらの数字は、「説明における用語を、図面に示された構成要素に限定して解釈すること」を意味するものではない。
【００１４】
上述の課題を解決するために、本発明に係る樹脂封止装置は、第１の成形型（２８）と、該第１の成形型（２８）に相対向して設けられた第２の成形型（１０）と、第１の成形型（２８）と第２の成形型（１０）との少なくともいずれかに設けられ流動性樹脂（３０）によって満たされるべきキャビティ（１１）とを備え、チップ状の電子部品からなるチップ（１７）が基板に装着された状態において、キャビティ（１１）に満たされた流動性樹脂（３０）が硬化して形成された硬化樹脂（３１）によってチップ（１７）を樹脂封止する樹脂封止装置であって、第１の成形型（２８）と第２の成形型（１０）とをそれぞれ有する複数個の成形モジュール（３Ａ、３Ｂ、３Ｃ、３Ｄ）と、チップ（１７）が装着された基板（１４）からなる封止前基板（５）をキャビティ（１１）の少なくとも近傍まで搬送する搬送機構（９）と、搬送機構（９）とは別に設けられた移送機構（１３）と、搬送機構（９）又は移送機構（１３、２４）の少なくともいずれか一方に設けられた第１のヒータ（２０、２４）とを備えるとともに、第１のヒータ（２０）は、封止前基板（５）を少なくともキャビティ（１１）の近傍まで搬送する過程において封止前基板（５）を面的に加熱し、搬送機構（９）と移送機構（１３）とが一体的に移動することができ、かつ、移送機構（１３）が搬送機構（９）から分離して移動することができ、移送機構（１３）は、搬送機構（９）から第１の成形型（２８）と第２の成形型（１０）とのいずれかにおいてキャビティ（１１）に平面視して重なる位置における型面まで封止前基板（５）を搬送して型面を含む配置用型面に引き渡し、移送機構（１３）は、封止前基板（５）を配置用型面に引き渡した後に第１の成形型（２８）と第２の成形型（１０）との間から退避し、第１の成形型（２８）と第２の成形型（１０）とが型締めした状態、かつ、キャビティ（１１）に満たされた流動性樹脂（３０）にチップ（１７）が浸漬された状態において流動性樹脂（３０）が硬化し、複数個の成形モジュール（３Ａ、３Ｂ、３Ｃ、３Ｄ）は、搬送機構（９）が移動する方向に沿って順次固定され、複数個の成形モジュール（３Ａ、３Ｂ、３Ｃ、３Ｄ）がそれぞれ有するキャビティ（１１）の少なくとも近傍まで封止前基板（５）を搬送する距離が複数個の成形モジュール（３Ａ、３Ｂ、３Ｃ、３Ｄ）のそれぞれに応じて相異なることを特徴とする。
【００１５】
本発明に係る樹脂封止装置は、上述した樹脂封止装置（１）において、成形モジュール（３Ａ、３Ｂ、３Ｃ、３Ｄ）の数が事後的に増減可能であることを特徴とする。
【００１６】
本発明に係る樹脂封止装置は、上述した樹脂封止装置（１）において、第１のヒータ（２０）は封止前基板（５）を直接加熱することを特徴とする。
【００１７】
本発明に係る樹脂封止装置は、上述した樹脂封止装置（１）において、移送機構（１３）に設けられた第２のヒータ（２４）を備え、第２のヒータ（２４）は、封止前基板（５）を配置用型面に引き渡すまでの過程において封止前基板（５）を面的に加熱することを特徴とする。
【００１８】
本発明に係る樹脂封止装置は、上述した樹脂封止装置（１）において、第２のヒータ（２４）は、チップ（１７）に対して非接触である状態において封止前基板（５）を面的に加熱することを特徴とする。
【００１９】
本発明に係る樹脂封止装置は、上述した樹脂封止装置（１）において、搬送機構（９）は、基板（１４）とチップ（１７）と硬化樹脂（３１）とを有する封止済基板（３２）を成形モジュール（３Ａ、３Ｂ、３Ｃ、３Ｄ）から搬出することを特徴とする。
【００２０】
上述の課題を解決するために、本発明に係る樹脂封止方法は、チップ状の電子部品からなるチップ（１７）が基板（１４）に装着された状態においてチップ（１７）を樹脂封止することを目的として、第１の成形型（２８）と該第１の成形型（２８）に相対向して設けられた第２の成形型（１０）とを有する成形モジュールを複数個準備する工程と、チップ（１７）が装着された基板（１４）からなる封止前基板（５）を搬送機構（９）に配置する工程と、第１の成形型（２８）と第２の成形型（１０）との少なくともいずれかに設けられ流動性樹脂（３０）によって満たされるべきキャビティ（１１）の少なくとも近傍まで搬送機構（９）を使用して封止前基板（５）を搬送する工程と、第１の成形型（２８）と第２の成形型（１０）とのいずれかにおいてキャビティ（１１）に平面視して重なる位置における型面を含む配置用型面に封止前基板（５）を固定する工程と、第１の成形型（２８）と第２の成形型（１０）とを型締めする工程と、キャビティ（１１）に満たされた流動性樹脂（３０）にチップ（１７）が浸漬された状態において流動性樹脂（３０）を硬化させることによって硬化樹脂（３１）を形成する工程と、第１の成形型（２８）と第２の成形型（１０）とを型開きする工程と、基板（１４）とチップ（１７）と硬化樹脂（３１）とを有する封止済基板（３２）を取り出す工程とを備える樹脂封止方法であって、
搬送機構（９）とは別に設けられた移送機構（１３）を使用して封止前基板（５）を配置用型面まで移送する工程と、移送機構（１３）を使用して封止前基板（５）を配置用型面に引き渡す工程と、封止前基板（５）を配置用型面に引き渡した後に第１の成形型（２８）と第２の成形型（１０）との間から移送機構（１３）を退避させる工程とを備えるとともに、搬送する工程では、搬送機構（９）と移送機構（１３）とが一体的に移動し、移送する工程では、移送機構（１３）が搬送機構（９）から分離して移動し、退避させる工程の後に型締めする工程を実行し、型締めする工程の後に硬化樹脂（３１）を形成する工程を実行し、搬送する工程又は移送する工程の少なくともいずれか一方において封止前基板（５）を面的に加熱し、搬送する工程の少なくとも一部においては、複数個の成形モジュール（３Ａ、３Ｂ、３Ｃ、３Ｄ）が順次固定されて並ぶ方向に沿って搬送機構（９）を移動させ、搬送する工程において複数個の成形モジュール（３Ａ、３Ｂ、３Ｃ、３Ｄ）がそれぞれ有するキャビティ（１１）の少なくとも近傍まで封止前基板（５）を搬送する距離が複数個の成形モジュール（３Ａ、３Ｂ、３Ｃ、３Ｄ）のそれぞれに応じて相異なることを特徴とする。
【００２１】
本発明に係る樹脂封止方法は、上述した樹脂封止方法において、成形モジュール（３Ａ、３Ｂ、３Ｃ、３Ｄ）の数を事後的に増減することができることを特徴とする。
【００２２】
本発明に係る樹脂封止方法は、上述した樹脂封止方法において、搬送する工程においては、第１のヒータ（２０）は封止前基板（５）を直接加熱することを特徴とする。
【００２３】
本発明に係る樹脂封止方法は、上述した樹脂封止方法において、移送する工程においては、移送機構（１３）に設けられた第２のヒータ（２４）を使用して、封止前基板（５）を面的に加熱することを特徴とする。
【００２４】
本発明に係る樹脂封止方法は、上述した樹脂封止方法において移送する工程においては、第２のヒータ（２４）がチップ（１７）に対して非接触である状態において封止前基板（５）を面的に加熱することを特徴とする。
【００２５】
本発明に係る樹脂封止方法は、上述した樹脂封止方法において、取り出す工程の後に、搬送機構（９）を使用して成形モジュール（３Ａ、３Ｂ、３Ｃ、３Ｄ）から封止済基板（３２）を搬出する工程を備えることを特徴とする。
【発明の効果】
【００２６】
本発明によれば、少なくともキャビティ（１１）の近傍まで封止前基板（５）を搬送する搬送機構（９）に、第１のヒータ（２０）が設けられる。第１のヒータ（２０）は、封止前基板（５）を搬送する過程において封止前基板（５）を面的に加熱する。これにより、本発明は次の効果を奏する。第１に、少なくともキャビティ（１１）の近傍まで封止前基板（５）を搬送する過程において封止前基板（５）を加熱するので、成形型において封止前基板（５）を加熱する時間が短縮され、又は不要になる。したがって、全体的な封止時間、言い換えれば成形型におけるサイクルタイムを短縮することができる。
【００２７】
第２に、複数個の成形型に対して封止前基板（５）を搬送する距離が相異なる場合において、加熱された封止前基板（５）の温度に差が生じないようにすることができる。このことにより、複数個の成形型の間で硬化樹脂（３１）と基板（１４）との密着性に差が生じにくくなる。したがって、パッケージの品質の低下を効果的に防止することができる。また、成形型において封止前基板（５）を再度予熱する時間に差異を設ける必要がなくなる。
【００２８】
第３に、複数個の成形型が設けられている場合において、成形型の数に等しい独立した予備加熱手段を設ける必要がない。したがって、装置コストを抑制することができる。
【００２９】
第４に、成形型において、キャビティ（１１）の近傍に独立した予備加熱手段を設ける必要がない。加えて、成形型のメンテナンスを行う場合には、第１のヒータ（２０）が設けられた搬送機構（９）をその成形型から退避させることができる。したがって、成形型のメンテナンスにおける安全性が向上する。
【００３０】
第５に、搬送機構（９）から封止前基板（５）を受け取り、かつ、型面まで封止前基板（５）を移送する移送機構（１３）に設けられた第２のヒータ（２４）が、封止前基板（５）を型面に引き渡すまでの過程において封止前基板（５）を面的に加熱する。このことによって、封止前基板（５）を型面に引き渡す直前まで封止前基板（５）を加熱することができる。したがって、全体的な封止時間を大幅に短縮することができる。また、複数個の成形型に対して封止前基板（５）を搬送する距離が相異なる場合においても、加熱された封止前基板（５）の温度に差がいっそう生じにくくなる。したがって、製品の品質の低下をいっそう効果的に防止することができる。
【図面の簡単な説明】
【００３１】
【図１】図１は、本発明に係る樹脂封止装置の概略平面図である。
【図２】図２（１）〜（３）は、搬送機構が封止前基板を搬送する工程から、移送機構が封止前基板を搬送する工程までを示す、部分断面図である。
【図３】図３（１）〜（４）は、移送機構が封止前基板を型面に引き渡す工程から、封止済基板が形成される工程までを示す、部分断面図である。
【実施例１】
【００３２】
本発明に係る樹脂封止装置の実施例１を、図１〜図３を参照して説明する。本出願に係るいずれの図についても、わかりやすくするために、適宜省略し又は誇張して模式的に描かれている。
【００３３】
図１に示されているように、本発明に係る樹脂封止装置１は、受入及び払出モジュール２と、４個の成形モジュール３Ａ、３Ｂ、３Ｃ、３Ｄとを有する。受入及び払出モジュール２には、樹脂封止用の樹脂材料を成形型に供給する機構、樹脂封止された封止済基板を次工程に払い出す機構、樹脂封止装置１全体を制御する制御部等が設けられている。これらの構成要素については、図示を省略した。
【００３４】
受入及び払出モジュール２には、基板供給部４が設けられている。基板供給部４は、前工程から封止前基板５を受け取って樹脂封止装置１の内部に供給する。また、受入及び払出モジュール２には、回転機構６と中継機構７と受け渡し台８とが設けられている。
【００３５】
図１の全体において、各構成要素における封止前基板５が配置される位置を、細い二点鎖線の長方形及び細い破線の長方形によって仮想的に示す。細い二点鎖線は、各構成要素の上面に封止前基板５が配置されることを示す。細い破線は、各構成要素の下面に封止前基板５が保持されることを示す。
【００３６】
４個の成形モジュール３Ａ、３Ｂ、３Ｃ、３Ｄのそれぞれにおいて図のＸ方向（＋、−の符号を付さない場合には、＋Ｘ方向と−Ｘ方向との双方を示す。以下同じ。）に移動する、搬送機構９が設けられている。各成形モジュール３Ａ、３Ｂ、３Ｃ、３Ｄには、それぞれ下型１０が設けられている。各下型１０の型面には、流動性樹脂（後述）によって満たされるべき凹部からなるキャビティ１１がそれぞれ形成されている。樹脂封止工程において封止前基板５が配置される位置（平面視した位置）を、基板位置１２として仮想的に示す。また、各成形モジュール３Ａ、３Ｂ、３Ｃ、３Ｄには、それぞれ移送機構１３が設けられている。また、下型１０に相対向して上型（後述）が設けられている。下型１０と上型とは、併せて成形型を構成する。
【００３７】
なお、実際の樹脂封止装置においては、下型１０は、チェイスホルダと呼ばれる外側の部分と、チェイスと呼ばれる内側の部分と、キャビティブロックと呼ばれるキャビティが設けられた部分とによって構成される場合が多い。図１においては、これらの構成要素及び上型については図示を省略した。
【００３８】
以下、図１を参照して、封止前基板５が基板供給部４から基板位置１２まで搬送される経路を説明する。まず、前工程から搬送されてきた封止前基板５を、基板供給部４の上面に置く。次に、適当な移送機構（図示なし）を使用して、基板供給部４から回転機構６の上面に封止前基板５を移送する。次に、回転機構６が、その上面に封止前基板５を置いた状態で９０°回転する。次に、中継機構７が、回転機構６の上面に置かれていた封止前基板５を、吸着、クランプ等の方法によって中継機構７の下面に固定する。次に、中継機構７は、受け渡し台８の上方まで−Ｙ方向に移動して、その後に封止前基板５に対する吸着等を解除する。これにより、受け渡し台８の上面に封止前基板５を置くことができる。
【００３９】
次に、搬送機構９が、受け渡し台８の上面に置かれていた封止前基板５を、吸着によって搬送機構９の下面に固定する。その後に、搬送機構９は、下面に封止前基板５を固定した状態でレール（図示なし）に沿って＋Ｘ方向に移動する。搬送機構９は、封止前基板５を樹脂封止する際に使用される下型１０を有する成形モジュール（図１の例では成形モジュール３Ｃ）まで、封止前基板５を搬送する。
【００４０】
次に、成形モジュール３Ｃに設けられた移送機構１３が、搬送機構９の下方まで−Ｙ方向に移動する。搬送機構９は、封止前基板５に対する吸着を解除する。これにより、移送機構１３の上面に封止前基板５を置くことができる。
【００４１】
次に、移送機構１３は、上面に封止前基板５を置いた状態で＋Ｙ方向に移動する。移送機構１３は、封止前基板５が基板位置１２に到達すると停止して、＋Ｚ方向に移動した後に上型（図示なし）の型面に封止前基板５を引き渡す。上型は、吸着、クランプ等の方法によって封止前基板５を上型の型面（下面）に固定する。
【００４２】
本実施例の特徴は、成形モジュール３Ａ、３Ｂ、３Ｃ、３Ｄのいずれかにおけるキャビティ１１の近傍まで封止前基板５を搬送する過程と、キャビティ１１の近傍から基板位置１２まで封止前基板５を移送する過程とにおいて、封止前基板５を予熱することである。以下、これらの２つの過程において封止前基板５を予熱することについて、図１〜図３を参照して説明する。
【００４３】
図２（１）に示されているように、封止前基板５は、リードフレーム、プリント基板等からなる基板１４を有する。基板１４は、仮想的な境界線１５によって格子状の領域１６に区分けされている。各領域１６には、１個又は複数個のチップ１７が装着されている。基板１４の端子とチップ１７の端子とは、ワイヤボンディングによって導線１８を使用して電気的に接続されている。
【００４４】
本実施例においては、図１に示された基板供給部４の上面において、封止前基板５におけるチップ１７が装着された面を下向き（−Ｚ方向）にして封止前基板５が置かれる。このことから、基板供給部４の上面には、チップ１７と導線１８とを収容するための凹部である収容部（図示なし）が設けられている。樹脂封止装置１の他の構成要素のうち、回転機構６と受け渡し台８と移送機構１３とにおいても、基板供給部４と同様に収容部が設けられている（移送機構１３に設けられた収容部については後述）。
【００４５】
搬送機構９は、本体１９とヒータ２０と表層部２１と吸引路２２とを有する。ヒータ２０は、封止前基板５を予熱するために設けられた第１のヒータであって、本体１９に設けられた凹部にはめ込まれたシート状（薄板状）の発熱部材である。ヒータ２０は、通電されることによって発熱する。これにより、ヒータ２０は表層部２１を介して封止前基板５を面的に加熱する。表層部２１は、ヒータ２０を保護する目的で本体１９の表面に設けられている。吸引路２２は、配管によって減圧タンク（いずれも図示なし）に接続されている。吸引路２２を介して封止前基板５を吸引することによって、搬送機構９の下面に封止前基板５が吸着される。
【００４６】
図２（２）、図２（３）に示されているように、移送機構１３は、本体２３とヒータ２４と枠状部２５と吸引路２６と収容部２７とを有する。ヒータ２４は、封止前基板５を予熱するために設けられた第２のヒータであって、本体２３に設けられた凹部にはめ込まれたシート状（薄板状）の発熱部材である。ヒータ２４は、通電されることによって発熱する。これによって、ヒータ２４は封止前基板５を面的に加熱する。枠状部２５は、ヒータ２４の外周に重なるようにして、本体２３に対して固定されている枠状の部材である。収容部２７は、本体２３と枠状部２５とによって形成された空間である。移送機構１３に封止前基板５が置かれた状態において、チップ１７と導線１８とが収容部２７に収容される（図２（３）参照）。
【００４７】
以下、封止前基板５が搬送機構９の下面に吸着されてから、封止前基板５に装着されたチップ１７が樹脂封止されるまでの工程について、図１〜図３を参照して説明する。本実施例では、圧縮成形の方式を使用して、封止前基板５に装着されたチップ１７を樹脂封止することによって、封止済基板（後述）を完成させる。
【００４８】
まず、図１と図２（１）とに示されているように、受け渡し台８の上方において搬送機構９の下面に封止前基板５を吸着する。その後に、搬送機構９を＋Ｘ方向に移動させる。この過程において、ヒータ２０が表層部２１を介して封止前基板５を面的に加熱する。したがって、図１において、搬送機構９が受け渡し台８から成形モジュール３Ｃまで封止前基板５を搬送している間において、封止前基板５を面的に加熱することができる。このことは、搬送機構９が、受け渡し台８から成形モジュール３Ｃにおけるキャビティ１１の近傍まで封止前基板５を面的に予熱することを意味する。
【００４９】
次に、図１と図２（２）とに示されているように、成形モジュール３Ｃに設けられた移送機構１３が、搬送機構９の下方まで−Ｙ方向に移動する。その後に、移送機構１３は＋Ｚ方向に移動し、搬送機構９は封止前基板５に対する吸着を解除する。このことにより、図２（３）に示されているように、移送機構１３の上面に封止前基板５を置くことができる。
【００５０】
次に、図２（３）に示されているように、吸引路２６を使用して、移送機構１３の上面に置かれた封止前基板５の外周部を吸着する。吸着された封止前基板５は、枠状部２５に接触している部分においてヒータ２４からの熱の伝導によって加熱される。加えて、吸着された封止前基板５は、枠状部２５に接触していない部分において、言い換えれば平面視して収容部２７に重なる部分において、ヒータ２４からの熱の輻射によって加熱される。これらのことにより、封止前基板５はヒータ２４によって面的に加熱される。
【００５１】
次に、図１に示されているように、移送機構１３は、平面視して封止前基板５が基板位置１２に重なるまで、＋Ｙ方向に封止前基板５を移送する。その後に、図３（１）に示されているように、移送機構１３は＋Ｚ方向に移動して、封止前基板５に対する吸着を解除する。下型１０に相対向して設けられた上型２８は、吸引路２９を使用して上型２８の型面（下面）において封止前基板５を吸着する。したがって、移送機構１３の上面に封止前基板５が置かれてから、上型２８の下面に封止前基板５が吸着されるまでの間において、ヒータ２４によって封止前基板５を面的に予熱することができる。
【００５２】
ここまでの工程と並行して、図３（２）に示されているように、下型１０に設けられたキャビティ１１に、例えばエポキシ樹脂、シリコーン樹脂等の熱硬化性樹脂からなる流動性樹脂３０を供給する。
【００５３】
移送機構１３による封止前基板５の移送をまとめると、次のようになる。まず、移送機構１３は、下型１０に設けられたキャビティ１１に平面視して重なる位置における上型２８の型面の下方まで、封止前基板５を移送する。次に、移送機構１３は＋Ｚ方向に移動する。次に、移送機構１３は、下型１０に設けられたキャビティ１１に平面視して重なる位置における上型２８の型面に、封止前基板５を引き渡す。最終的に、上型２８において、下型１０に設けられたキャビティ１１に平面視して重なる位置における型面を含む型面に封止前基板５が吸着される。その後に、移送機構１３が−Ｚ方向と−Ｙ方向とに順次移動して基板位置１２から退避する（図１参照）。
【００５４】
次に、図３（３）に示されているように、下型１０と上型２８とを型締めする。これにより、封止前基板５におけるチップ１７と導線１８とが流動性樹脂３０に浸漬した（漬かった）状態になる。引き続き、下型１０に設けられたヒータ（図示なし）によって流動性樹脂３０を加熱する。これにより、流動性樹脂３０を硬化させて硬化樹脂３１を形成する（図３（４）参照）。
【００５５】
次に、図３（３）、図３（４）に示されているように、下型１０と上型２８とを型開きする。ここまでの工程により、封止前基板５におけるチップ１７と導線１８とが硬化樹脂３１によって樹脂封止された封止済基板３２が完成する。
【００５６】
次に、上型２８における吸着を解除して、上型２８から封止済基板３２を取り出す。その後に、ダイサー等を使用して、必要に応じて封止済基板３２を境界線１５において分離する。これにより、封止済基板３２から、１個又は複数個の領域１６に相当するパッケージを製造することができる。
【００５７】
本実施例によれば、次の効果が得られる。まず、少なくともキャビティ１１の近傍まで封止前基板５を搬送する過程において、搬送機構９に設けられたヒータ２０が封止前基板５を加熱する。このことにより、下型１０と上型２８とからなる成形型において封止前基板５を加熱する時間が短縮され、又は不要になる。したがって、全体的な封止時間、言い換えれば成形型におけるサイクルタイムを短縮することができる。
【００５８】
また、複数個の成形型に対して封止前基板５を搬送する距離が相異なる場合において、加熱された封止前基板５の温度に差が生じないようにすることができる。このことによって、複数個の成形型の間で硬化樹脂３１と基板１４との密着性に差が生じにくくなる。したがって、パッケージの品質の低下を効果的に防止することができる。また、成形型において封止前基板５を再度予熱する時間に差異を設ける必要がなくなる。
【００５９】
また、複数個の成形型が設けられている場合において、成形型の数に等しい独立した予備加熱手段を設ける必要がない。したがって、装置コストを抑制することができる。
【００６０】
また、成形型において、キャビティ１１の近傍に独立した予備加熱手段を設ける必要がない。加えて、成形型のメンテナンスを行う場合において、ヒータ２０が設けられた搬送機構９とヒータ２４が設けられた移送機構１３とを、その成形型から退避させることができる。したがって、成形型のメンテナンスにおける安全性が向上する。
【００６１】
また、移送機構１３に設けられたヒータ２４が、移送機構１３が搬送機構９から封止前基板５を受け取って上型２８の型面に引き渡すまでの過程において、封止前基板５を面的に加熱する。このことによって、封止前基板５を上型２８の型面に引き渡す直前まで封止前基板５を加熱することができる。したがって、全体的な封止時間を大幅に短縮することができる。また、複数個の成形型に対して封止前基板５を搬送する距離が相異なる場合においても、加熱された封止前基板５の温度に差がいっそう生じにくくなる。したがって、製品の品質の低下をいっそう効果的に防止することができる。
【００６２】
また、それぞれシート状の形状を有するヒータ２０とヒータ２４とが封止前基板５を面的に加熱する。これにより、封止前基板５が大型である場合であってもその封止前基板５を均一に加熱することができる。
【実施例２】
【００６３】
本発明の実施例２として、図２、図３に示された移送機構１３においてヒータ２４を設けない構成が可能である。この構成を採用することができるか否かは、次の要素を検討したうえで決定される。
【００６４】
第１の要素は、封止前基板５の特性、特に、熱容量及び熱伝導性である。封止前基板５の熱容量が大きい場合及び封止前基板５の熱伝導性が小さい場合には、搬送機構９によって予熱された封止前基板５を移送機構１３が移送する間において封止前基板５の温度が低下しにくい。したがって、これらの場合には、本実施例を採用できる可能性がある。
【００６５】
第２の要素は、搬送機構９のヒータ２０によって封止前基板５が予熱される際の設定温度である。この設定温度が、移送機構１３が封止前基板５を移送する間に封止前基板５の温度が低下する分を見込んで、封止前基板５が樹脂封止される際に要求される封止前基板５の温度を上回る適当な温度に設定されていることが好ましい。
【００６６】
第３の要素は、移送機構１３が封止前基板５を受け取ってから上型２８の下面に封止前基板５が吸着されるまでの時間である。この時間が短い場合には、移送機構１３が封止前基板５を移送する間に封止前基板５の温度が低下しにくい。したがって、この場合には、本実施例を採用できる可能性がある。
【００６７】
本実施例によれば、移送機構１３においてヒータ２４を設けない。したがって、実施例１に比較して移送機構１３の構成が単純になるので、装置コストをいっそう抑制することができる。
【００６８】
なお、ここまでの説明においては、成形の方式として圧縮成形について説明した。これに限らず、成形の方式としてトランスファ成形及び射出成形を使用することができる。加えて、圧縮成形以外の成形の方式においては、成形型としては、下型１０と上型２８とに限定されない。成形型としては、相対向する２つの成形型を含んでいればよい。
【００６９】
また、図１に示されている基板供給部４の上面において、封止前基板５におけるチップ１７が装着された面を下向き（−Ｚ方向）にして封止前基板５を置く場合について説明した。これに限らず、基板供給部４の上面において、封止前基板５におけるチップ１７が装着された面を上向き（＋Ｚ方向）にして封止前基板５を置いてもよい。この場合には、図１に示された中継機構７と搬送機構９との下面に、チップ１７と導線１８とを収容するための凹部である収容部（図示なし）が設けられる。移送機構１３は、チップ１７が装着された面を上向き（＋Ｚ方向）にした封止前基板５を上面に置いた状態で＋Ｙ方向に移動する。移送機構１３は、封止前基板５が基板位置１２に到達すると停止して、上型（図示なし）の型面（下面）に封止前基板５を引き渡す。上型に設けられたキャビティに、チップ１７と導線１８とが収容される。この場合には、成形の方式としてトランスファ成形及び射出成形を使用することができる。
【００７０】
また、図１において適当な移送機構（図示なし）を使用して、受け渡し台８の上面から搬送機構９の上面に封止前基板５を移送してもよい。この場合には、封止前基板５におけるチップ１７が装着された面を上向き（＋Ｚ方向）にして吸着等した封止前基板５を、搬送機構９の上面に移送する。搬送機構９から封止前基板５を受け取った移送機構１３は、封止前基板５を下面に保持した状態で＋Ｙ方向に移動する。移送機構１３は、上型に設けられたキャビティにチップ１７と導線１８とが平面視して重なるように封止前基板５と上型とを位置合わせして停止する。移送機構１３は、−Ｚ方向に移動して、下型１０の型面（上面）に、チップ１７が装着された面を上向きにした封止前基板５を引き渡す。下型１０と上型（図示なし）とが型締めすることによって、上型に設けられたキャビティにチップ１７と導線１８とが収容される。この場合には、成形の方式としてトランスファ成形及び射出成形を使用することができる。
【００７１】
また、次の変形例を採用することができる。その変形例は、図１において、チップ１７が装着された面を上向き（＋Ｚ方向）にした封止前基板５を、受け渡し台８の上面から搬送機構９の上面に押し出して移送するという構成を採用する。この場合には、搬送機構９から封止前基板５を受け取った移送機構１３は、封止前基板５を下面に保持した状態で＋Ｙ方向に移動する。移送機構１３は、上型に設けられたキャビティにチップ１７と導線１８とが平面視して重なるように封止前基板５と上型とを位置合わせして停止する。移送機構１３は、−Ｚ方向に移動して、下型１０の上面に、チップ１７が装着された面を上向きにした封止前基板５を引き渡す。この場合には、成形の方式としてトランスファ成形及び射出成形を使用することができる。
【００７２】
また、別の変形例を採用することもできる。その変形例は、図１に示された樹脂封止装置１において、受け渡し台８の位置から各基板位置１２までの経路を対象にして搬送機構９と移送機構１３とが次のように移動することができるという構成を採用する。第１に、搬送機構９と移送機構１３とを重ね合わせて、搬送機構９と移送機構１３とが一体的に移動する。第２に、搬送機構９と移送機構１３とが分離して個別に移動する。
【００７３】
この変形例によれば、まず、チップ１７が装着された面を下向き（−Ｚ方向）にした封止前基板５を受け渡し台８の上面から受け取った搬送機構９が、封止前基板５を下面に保持する。次に、搬送機構９が移送機構１３の真上まで移動して（又は移送機構１３が搬送機構９の真下まで移動して）、搬送機構９と移送機構１３とが重なり合った状態になる。次に、搬送機構９と移送機構１３とが一体的に＋Ｘ方向と＋Ｙ方向とに順次移動して、基板位置１２に到達する。この場合には、図２（２）において搬送機構９と移送機構１３とが更に接近した状態になっている。次に、搬送機構９の下面から移送機構１３の上面に封止前基板５を引き渡す。次に、搬送機構９が−Ｙ方向に移動して基板位置１２から退避する。次に、移送機構１３が＋Ｚ方向に移動して、上型２８の型面（下面）に封止前基板５を引き渡す（図３（１）参照）。次に、移送機構１３が−Ｚ方向と−Ｙ方向とに順次移動して基板位置１２から退避する（図１参照）。
【００７４】
また、上述した変形例に関連した別の変形例として、チップ１７が装着された面を上向き（＋Ｚ方向）にした封止前基板５を、受け渡し台８の上面から搬送機構９の上面に移送するという構成を採用してもよい。この別の変形例によれば、搬送機構９と移送機構１３とが一体的に＋Ｘ方向と＋Ｙ方向とに順次移動して、基板位置１２に到達する。そして、最終的に、移送機構１３が−Ｚ方向に移動して、下型（図示なし）の型面（上面）に封止前基板５を引き渡すことができる。
【００７５】
また、別の変形例を採用することもできる。その変形例は、図１において、移送機構１３を設けることなく、Ｘ方向に加えてＹ方向にも移動可能に設けられた搬送機構９を使用して、封止前基板５を下型１０の上面に配置するという構成を採用する。この場合には、搬送機構９は、チップ１７が装着された面を上向き（＋Ｚ方向）にした封止前基板５を下面に保持した状態で＋Ｙ方向に移動する。搬送機構９は、上型に設けられたキャビティにチップ１７と導線１８とが収容されるように封止前基板５と上型とを位置合わせして、下型１０の上面に封止前基板５を配置する。この場合には、成形の方式としてトランスファ成形及び射出成形を使用することができる。
【００７６】
また、ここまでの説明においては、下型１０にキャビティ１１が設けられた場合（図３（２）参照）と上型にキャビティが設けられた場合とについて説明した。これに限らず、下型と上型との双方にキャビティが設けられた成形型を使用する場合においても、本発明を適用することができる。
【００７７】
また、ここまでの説明においては、第１のヒータとしてシート状のヒータ２０を使用して、搬送機構９の表層部２１を介して封止前基板５を面的に加熱することとした。これに限らず、ヒータ２０を使用して、表層部２１を介することなく封止前基板５を面的にかつ直接加熱してもよい。この場合には、ヒータ２０として、表面にガラスクロス、プラスチックフィルム等が形成されたシート状のヒータを使用することが好ましい。
【００７８】
また、第２のヒータであるヒータ２４として、近赤外線又は遠赤外線を少なくとも含む赤外線を輻射することによって封止前基板５を加熱する、面状の赤外線ヒータを使用してもよい。
【００７９】
また、図２（３）に示すように、移送機構１３において、封止前基板５の外周部を吸着することとした。そして、封止前基板５における吸着された部分の近傍であって枠状部２５に接触している部分において、ヒータ２４からの熱の伝導によって封止前基板５を加熱し、枠状部２５に接触していない部分において、ヒータ２４からの熱の輻射によって封止前基板５を加熱することとした。これに限らず、封止前基板５におけるチップ１７同士の間の部分において、移送機構１３に設けられた押さえ部を使用して封止前基板５を押さえることにより、熱の伝導によって封止前基板５を加熱してもよい。このことによって、ヒータ２４を使用していっそう効率よく封止前基板５を加熱することができる。押さえ部としては、平坦な端面を有する突起状の押さえ部を、平面視して飛び飛びに設けることができる。また、押さえ部としては、平坦な端面を有する壁状の押さえ部を、平面視して格子状に設けることもできる。
【００８０】
また、封止前基板５を吸着することによって、搬送機構９及び移送機構１３に封止前基板５を保持した。これに代えて、所定の角度だけ回転する複数個の爪を使用して、封止前基板５の外周部を引っ掛けることにより、搬送機構９及び移送機構１３に封止前基板５を保持してもよい。
【００８１】
また、各実施例においては、チップ１７と基板１４との電気的な接続を実現する目的でワイヤボンディングを使用した。これに限らず、フリップチップボンディング等の別の方式を使用してもよい。
【００８２】
また、流動性樹脂３０は、常温で液状である液状樹脂であってもよい。また、流動性樹脂３０は、常温で固体状（粉状、粒状、シート状、タブレット状等）の樹脂材料を溶融して形成した溶融樹脂であってもよい。
【００８３】
また、図１においては、受入及び払出モジュール２と成形モジュール３Ａとが機械的に固定され、その成形モジュール３Ａに３個の成形モジュール３Ｂ、３Ｃ、３Ｄが順次固定されるという構成が採用されている。この構成に代えて、受入及び払出モジュール２と成形モジュール３Ａとが樹脂封止機能を有する１個の親モジュールとして形成され、その親モジュールに３個の成形モジュール３Ｂ、３Ｃ、３Ｄが順次固定されるという構成を採用してもよい。いずれの構成においても、１個の成形モジュール３Ａを有する樹脂封止装置から複数個の成形モジュール（図１の例では、４個の成形モジュール３Ａ、３Ｂ、３Ｃ、３Ｄ）を有する樹脂封止装置１まで、希望する数の成形モジュール３Ａ、３Ｂ、３Ｃ、３Ｄ、・・・を有する樹脂封止装置を実現することができる。また、成形モジュールの数を事後的に増減することもできる。
【００８４】
また、本発明は、上述の各実施例に限定されるものではなく、本発明の趣旨を逸脱しない範囲内で、必要に応じて、任意にかつ適宜に組み合わせ、変更し、又は選択して採用できるものである。
【符号の説明】
【００８５】
１    樹脂封止装置
２    受入及び払出モジュール
３Ａ、３Ｂ、３Ｃ、３Ｄ    成形モジュール
４    基板供給部
５    封止前基板
６    回転機構
７    中継機構
８    受け渡し台
９    搬送機構
１０  下型（第２の成形型）
１１  キャビティ
１２  基板位置
１３  移送機構
１４  基板
１５  境界線
１６  領域
１７  チップ
１８  導線
１９、２３  本体
２０  ヒータ（第１のヒータ）
２１  表層部
２２、２６、２９  吸引路
２４  ヒータ（第１のヒータ、第２のヒータ）
２５  枠状部
２７  収容部
２８  上型（第１の成形型）
３０  流動性樹脂
３１  硬化樹脂
３２  封止済基板
【図１】
0005697919.tif 000002
【図２】
0005697919.tif 000003
【図３】
0005697919.tif 000004